(57)【要約】【課題】ソケットに接続された状態からメモリカードのみがアダプタ本体から抜き取られることを防ぐ。【解決手段】カバー１とベース２とは、コンタクト４１〜４９と操作摘み７とを間に挟んだ状態で接合され、手前側の側面にはミニＳＤカードＭＳＤを挿入するためのカード挿入口４０が開口し、カード挿入口４０に連通する凹所２ａがミニＳＤカードＭＳＤを収納するカード収納室１０となる。凹所２ａ底面の手前側端部にはカード挿入口４０に突出するリブからなる規制部１１が形成される。可動シェル３が閉位置にあるときにはミニＳＤカードＭＳＤの手前側の端部がベース２に設けた規制部１１に当たってミニＳＤカードＭＳＤのカード挿入口４０からの引き抜きが規制される。故に本アダプタをソケットに接続した状態でミニＳＤカードＭＳＤが不用意にアダプタ本体から抜き取られてしまうことがない。【選択図】        図１
2004280718.tif 000002
【特許請求の範囲】
【請求項１】
メモリカードを装着して、前記メモリカードよりも外形が大きい大型メモリカード用のソケットに前記メモリカードを電気的且つ機械的に接続するためのメモリカード用アダプタであって、側面に開口したカード挿入口を通してメモリカードが挿抜される箱状のアダプタ本体と、アダプタ本体の内部にそれぞれ配置され、カード挿入口を通してアダプタ本体の内部に挿入されるメモリカードの複数のＩ／Ｏ接触面に電気的に接続されるとともに、ソケットに装着した際にソケットの複数のコンタクトに電気的に接続される複数の導電部材とを備え、前記アダプタ本体を、前記導電部材を支持するとともに前記カード挿入口に連通して前面に開口する凹所が設けられた樹脂製のハウジングと、前記凹所の前面開口の少なくとも一部を閉じる閉位置と前面開口を開く開位置との間でハウジングに対して回動自在に設けられる可動シェルとで構成し、該可動シェルが閉位置にあるときにメモリカードと干渉してメモリカードのカード挿入口からの引き抜きを規制する規制部を前記ハウジングに設けたことを特徴とするメモリカード用アダプタ。
【請求項２】
前記ハウジングを、前面に前記凹所が設けられ、メモリカードのＩ／Ｏ接触面に対向する前面端部に前記導電部材を配設してなる樹脂製のベースと、メモリカードのＩ／Ｏ接触面の裏面を覆うようにベース前面に被着される樹脂製のカバーとを結合して構成し、前記ベースのカード挿入口に突出するリブで前記規制部を形成し、前記可動シェルをカード挿入口に対するメモリカードの挿入方向に平行な面内で回動自在とする回動支点を、前記ベースにおけるカード挿入口が開口する端部と導電部材を配設した端部との間に設けたことを特徴とする請求項１記載のメモリカード用アダプタ。
【請求項３】
前記凹所の可動シェルと対向する内底面に、可動シェルを開位置に回動したときにメモリカードとの干渉を逃げる逃がし部を設けたことを特徴とする請求項１又は２記載のメモリカード用アダプタ。
【請求項４】
互いに凹凸嵌合して前記可動シェルを閉位置に固定する固定用突起及び固定用凹部を可動シェル並びにハウジングに設けたことを特徴とする請求項１又は２又は３記載のメモリカード用アダプタ。
【請求項５】
前記閉位置にある可動シェルと干渉するストッパ部を前記ハウジングに設けたことを特徴とする請求項１〜４の何れかに記載のメモリカード用アダプタ。
【請求項６】
前記複数の導電部材のうちで接地用の前記コンタクトに接続される導電部材に、少なくとも閉位置にあるときの可動シェルに弾接する弾接片を設けたことを特徴とする請求項１〜５の何れかに記載のメモリカード用アダプタ。
【請求項７】
前記ハウジングに設けた軸部を前記可動シェルに設けた軸受け孔部に挿通して軸支するとともに、該軸部の根本部分で軸部を支える支持部をハウジングに設けたことを特徴とする請求項１〜６の何れかに記載のメモリカード用アダプタ。
【請求項８】
前記ハウジングの後面におけるメモリカードを挟んで可動シェルの自由端側と反対側の部位にメモリカードに臨む操作孔を設けたことを特徴とする請求項１〜７の何れかに記載のメモリカード用アダプタ。
【発明の詳細な説明】
【０００１】
【発明の属する技術分野】
本発明は、小型メモリカードを一回り大きな大型メモリカード用のソケットに接続するためのメモリカード用アダプタに関するものである。
【０００２】
【従来の技術】
従来より、図１１に示すようなＳＤメモリカードやマルチメディアカード（ＭＭＣ）のようなメモリカードＭＣが提供されている。
【０００３】
このメモリカードＭＣは外周形状が矩形状になっており、メモリカードＭＣの後部（挿入側）の裏面側には複数個のＩ／Ｏ接触面（図示せず）が並設されている。またメモリカードＭＣの後部の一方の角を落として切欠部６１を形成するとともに、裏面部の両側部には、表面側の幅よりも裏面側の幅を狭くした段部６２，６２を形成してあり、切欠部６１と段部６２とでメモリカードＭＣを挿抜自在に接続するソケットへの逆差しを防止している。
【０００４】
メモリカードＭＣにおいて切欠部６１を形成した一方の側縁には矩形状に陥没したロック用切欠６３が設けられており、メモリカードＭＣをソケットに接続した際にソケットのロック片がロック用切欠６３と係止することによって、メモリカードＭＣの脱落を防止するようになっている。またメモリカードＭＣにおいて切欠部６１を形成した側と反対側の側面には、ライトプロテクトのスイッチＳＷの摘み６４が露出する凹部６５を設けており、スイッチＳＷの摘み６４の凹部６５内の移動位置によって、ライトプロテクト状態にあるか否かを示すようになっている。
【０００５】
ところで、近年メモリカードＭＣを使用するＰＤＡなどの機器の小型化に伴ってＳＤメモリカードの小型化が望まれており、図１２及び図１３に示すような構造を有しＳＤメモリカードの外形を一回り小さくしたミニＳＤカードＭＳＤが提案されている。
【０００６】
ミニＳＤカードＭＳＤは扁平な略矩形板状であって、ＳＤメモリカードに比べて外形が一回り小さくなっており、後部（挿入側）の一方の角には切欠部５１が形成されている。また、ミニＳＤカードＭＳＤの後部下面には凹所５２が形成され、この凹所５２には複数（ミニＳＤカードＭＳＤの場合は１１個）のＩ／Ｏ接触面５３が並行に配設されている。また、ミニＳＤカードＭＳＤの挿入側の左右両側縁には上向き段部５４，５４を形成してあり、上記切欠部５１よりも前側（挿入側と反対側）の位置には上面の左右両側縁にロック用凹所５５，５５を形成している。
【０００７】
このようなミニＳＤカードＭＳＤは従来のメモリカードＭＣに比べて外形が一回り小さいので、従来のメモリカードＭＣ用のソケットにミニＳＤカードＭＳＤを接続するためには、ミニＳＤカードＭＳＤを保持してメモリカードＭＣ用のソケットに接続され、ミニＳＤカードＭＳＤとソケットとの間を電気的に接続するメモリカード用アダプタが必要となる。なお、この種のメモリカード用アダプタとしては、例えば特許文献１に示されるようにＰＣカードを装着して、フレキシブルディスクのドライブ装置に接続するためのものが従来より提供されている。
【０００８】
【特許文献１】
特開平１１−３４０５号公報（第３頁−第５頁、及び、第２図）
【０００９】
【発明が解決しようとする課題】
ところで、上述のメモリカード用アダプタにおいては、ミニＳＤカードＭＳＤのロック用凹所５５，５５に係脱自在に係止するロック爪を設け、ロック爪をロック用凹所５５，５５に係止することでメモリカード用アダプタからミニＳＤカードが不用意に抜き取られることがないようにしている。しかしながら、メモリカード用アダプタのカード挿入口からミニＳＤカードが一部露出しているため、ソケットに接続されているメモリカード用アダプタを抜き取る際にミニＳＤカードの前記露出部位を指でつまんでいた場合に、メモリカード用アダプタがソケットから抜けずにミニＳＤカードのみがメモリカード用アダプタから抜き取られてしまうことがあった。このように機器に設けられているソケットにメモリカード用アダプタが接続された状態でミニＳＤカードのみがメモリカード用アダプタから抜き取られてしまうと機器が動作しなくなったり、あるいは抜き取られたものと異なる別のミニＳＤカードがメモリカード用アダプタに接続されてデータが不用意に書き換えられて必要なデータが消失してしまうといった不具合が発生する虞があった。
【００１０】
本発明は上記事情に鑑みて為されたものであり、その目的は、ソケットに接続された状態からメモリカードのみがアダプタ本体から抜き取られることがないメモリカード用アダプタを提供することにある。
【００１１】
【課題を解決するための手段】
請求項１の発明は、上記目的を達成するために、メモリカードを装着して、前記メモリカードよりも外形が大きい大型メモリカード用のソケットに前記メモリカードを電気的且つ機械的に接続するためのメモリカード用アダプタであって、側面に開口したカード挿入口を通してメモリカードが挿抜される箱状のアダプタ本体と、アダプタ本体の内部にそれぞれ配置され、カード挿入口を通してアダプタ本体の内部に挿入されるメモリカードの複数のＩ／Ｏ接触面に電気的に接続されるとともに、ソケットに装着した際にソケットの複数のコンタクトに電気的に接続される複数の導電部材とを備え、前記アダプタ本体を、前記導電部材を支持するとともに前記カード挿入口に連通して前面に開口する凹所が設けられた樹脂製のハウジングと、前記凹所の前面開口の少なくとも一部を閉じる閉位置と前面開口を開く開位置との間でハウジングに対して回動自在に設けられる可動シェルとで構成し、該可動シェルが閉位置にあるときにメモリカードと干渉してメモリカードのカード挿入口からの引き抜きを規制する規制部を前記ハウジングに設けたことを特徴とする。
【００１２】
請求項２の発明は、請求項１の発明において、前記ハウジングを、前面に前記凹所が設けられ、メモリカードのＩ／Ｏ接触面に対向する前面端部に前記導電部材を配設してなる樹脂製のベースと、メモリカードのＩ／Ｏ接触面の裏面を覆うようにベース前面に被着される樹脂製のカバーとを結合して構成し、前記ベースのカード挿入口に突出するリブで前記規制部を形成し、前記可動シェルをカード挿入口に対するメモリカードの挿入方向に平行な面内で回動自在とする回動支点を、前記ベースにおけるカード挿入口が開口する端部と導電部材を配設した端部との間に設けたことを特徴とする。
【００１３】
請求項３の発明は、請求項１又は２の発明において、前記凹所の可動シェルと対向する内底面に、可動シェルを開位置に回動したときにメモリカードとの干渉を逃げる逃がし部を設けたことを特徴とする。
【００１４】
請求項４の発明は、請求項１又は２又は３の発明において、互いに凹凸嵌合して前記可動シェルを閉位置に固定する固定用突起及び固定用凹部を可動シェル並びにハウジングに設けたことを特徴とする。
【００１５】
請求項５の発明は、請求項１〜４の何れかに記載の発明において、前記閉位置にある可動シェルと干渉するストッパ部を前記ハウジングに設けたことを特徴とする。
【００１６】
請求項６の発明は、請求項１〜５の何れかの発明において、前記複数の導電部材のうちで接地用の前記コンタクトに接続される導電部材に、少なくとも閉位置にあるときの可動シェルに弾接する弾接片を設けたことを特徴とする。
【００１７】
請求項７の発明は、請求項１〜６の何れかの発明において、前記ハウジングに設けた軸部を前記可動シェルに設けた軸受け孔部に挿通して軸支するとともに、該軸部の根本部分で軸部を支える支持部をハウジングに設けたことを特徴とする。
【００１８】
請求項８の発明は、請求項１〜７の何れかの発明において、前記ハウジングの後面におけるメモリカードを挟んで可動シェルの自由端側と反対側の部位にメモリカードに臨む操作孔を設けたことを特徴とする。
【００１９】
【発明の実施の形態】
本発明に係るメモリカード用アダプタの一実施形態を図１〜図１０を参照して詳細に説明する。なお、以下の説明では特に断りが無い場合、図２における矢印ａ−ｂ方向を前後方向、矢印ｃ−ｄ方向を左右方向、矢印ｅ−ｆ方向を奥行き方向として説明を行う。
【００２０】
本実施形態のメモリカード用アダプタＡは、図１２及び図１３に示すミニＳＤカードＭＳＤをＳＤメモリカード用のソケットに接続するために用いられるもので、前面に凹所２ａが設けられ、ミニＳＤカードＭＳＤのＩ／Ｏ接触面５３に対向する奥側の前面端部に導電部材としての複数本（ミニＳＤカードの場合は例えば９本）のコンタクト４１〜４９を配設してなる樹脂製のベース２と、ミニＳＤカードＭＳＤのＩ／Ｏ接触面５３の裏面を覆うようにベース２の前面に被着される樹脂製のカバー１と、凹所２ａの前面開口の少なくとも一部を閉じる閉位置と前面開口を開く開位置との間でハウジングに対して回動自在に設けられる金属製の可動シェル３と、ミニＳＤカードＭＳＤに対するデータの書込許可／書込禁止を切り換えるための操作摘み７とで構成される。カバー１とベース２とは、コンタクト４１〜４９と操作摘み７とを間に挟んだ状態で接合され、手前側の側面にはミニＳＤカードＭＳＤを挿入するためのカード挿入口４０が開口し、カード挿入口４０に連通する凹所２ａがミニＳＤカードＭＳＤを収納するカード収納室１０となっている。なお、カバー１とベース２と可動シェル３とで構成されるアダプタ本体はＳＤメモリカードと縦、横、厚みの各寸法が同じ寸法に形成されている。
【００２１】
カバー１は合成樹脂成型品からなり、略矩形板状の主部１ａの奥側端部には一方の角を落として切欠部５ａが形成してある。カバー１の手前側の端部において切欠部５ａを形成した側（右側）の外側縁には鈎形の切欠６ａが設けられ、切欠部５ａを形成した側と反対側（左側）の手前側端部から鈎形の突出片２８が突設され、この突出片２８の外側縁には操作摘み７が露出する切欠部８ａが設けられている。
【００２２】
またカバー１の主部１ａには、図５に示すようにベース２との対向面の後部に平面視の形状が矩形状に形成された複数（本実施形態では９個）の端子片支持台１４が左右方向に並べて並設され、またベース２との対向面の手前側端縁には左右方向に沿って延びるコンタクト受け台１３がベース２側に向かって突設されている。このコンタクト受け台１３には、後述する弾接片２６に対応する部位に切欠溝１３ａが形成されている。またコンタクト受け台１３の左右両側には、後述する可動シェル３の固定片４３，４３に対向する部位に、それぞれ固定片４３，４３と干渉する凹溝からなるストッパ部２７，２７がそれぞれ形成されている。
【００２３】
一方、ベース２は合成樹脂成型品からなり、図３に示すように平面視の形状が略矩形状に形成されており、カバー１の切欠部５ａに対応する角を落として切欠部５ａとともに逆差し防止用切欠５を構成する切欠部５ｂが形成されている。ベース２において切欠部５ｂを形成した一方（右側）の側縁には、カバー１の切欠６ａに対応する部位に切欠６ａとともにロック用切欠６を構成する鈎形に陥没した切欠６ｂが設けられ、切欠部５ｂを形成した側と反対側（左側）の側縁には操作摘み７が露出する切欠部８ｂが設けられている。またベース２の前面には、切欠部８ｂに連通する矩形状の摘み収納凹部３５が形成され、摘み収納凹部３５の後方には手前から奥（図３における上下方向）に向かって延びる凹溝３６が形成されており、凹溝３６底面の奥行き方向（図３における上下方向）における中間部には前方に向かって係止突起３７が突設されている。また、凹所２ａの底面にはミニＳＤカードＭＳＤの挿抜方向（奥行き方向）に沿って凹所２ａの中間部から奥側端部まで延びる幅細の複数本（例えば９本）の溝１６が左右方向に並べて形成され、底面の手前側略中央にはミニＳＤカードＭＳＤを前方へ押し動かす際に指が入り込む長円形の操作孔９が形成してある。さらに、凹所２ａ底面の手前側端部にはカード挿入口４０に突出するリブからなる規制部１１が形成されている。ここで、凹所２ａの中間部から奥側における両端の溝１６の外側には、図３に示すように手前から奥に向かっておよそ２〜３度の角度で後方へ傾斜する傾斜面２０ａを有した逃がし部２０，２０がそれぞれ設けてある。
【００２４】
凹所２ａの左右両側にはそれぞれ幅細の突壁２ｂ，２ｃが前方へ突設され、左側の突壁２ｃの奥側には可動シェル３と当接するＬ字形の支持壁３１が突壁２ｃと連続一体に前方へ突設されるとともに、この支持壁３１の手前側端面には、ミニＳＤカードＭＳＤの切欠部５１の傾斜面に当接する傾斜面３１ａが形成されている。また、各突壁２ｂ，２ｃの奥側端部にはそれぞれ前方及び内方に向かって開放された凹溝２ｄ，２ｄが設けられ、図３（ｂ）及び（ｄ）に示すように、各凹溝２ｄ，２ｄの底面には、後述するように可動シェル３を回動自在に軸支するための軸部２ｅと、その根本部分で軸部２ｅを支える支持部２ｆとが一体に形成されている。軸部２ｅは凹所２ａ底面に対向する面を円筒面とする半円筒形に形成され、支持部２ｆはベース２の後方から前方（図３（ｂ）における下から上）に向かって突壁２ｂ，２ｃに近づく向きに傾斜する角柱状に形成されており、根本部分を支持部２ｆで支えることにより、後述するように可動シェル３を回動させる際に軸部２ｅが変形したり、破損したりするのを防ぐことができる。
【００２５】
またベース２の奥側部位には、カバー１に設けた端子片支持台１４に対向する部位に、ベース２の表裏を貫通する矩形状の貫通孔１７が左右方向に並べて形成され、各貫通孔１７の前側の端面には貫通孔１７に連通する幅狭の圧入溝１９が形成されており、ベース２の後面における各貫通孔１７の周縁部には、後面側に開放された複数の凹溝３２が形成されている（図５参照）。ここに、貫通孔１７及び端子片支持台１４の配列はＳＤメモリカードの端子配列と同じ配列になっている。
【００２６】
９本のコンタクト４１〜４９は、導電性の良好な金属（例えばリン青銅など）のフープ材に抜き加工及び曲げ加工を施すことによって、一体に連結された状態で形成され、前面側から見て９番ピンのコンタクト４９が右端に配置され、９番ピンのコンタクト４９の左に１番ピンから８番ピンまでのコンタクト４１〜４８が順番に配置されている。
【００２７】
各コンタクト４１〜４９は、矩形板状の端子片２１と、端子片２１の前端部略中央から一体に連設される幅狭の固定片２２と、一端部が固定片２２を介して端子片２１に連結された中央片２３と、中央片２３の他端部から後向きに折り曲げられた折曲片２４と、折曲片２４の先端から手前に向かって突出する接触ばね片２５とを連続一体に形成して構成される。各接触ばね片２５の側面視の形状は、図５に示すように中間部が両端部に比べてカバー１側に向かって突出するような形状（例えばへ字状）に形成されている。そして隣接するコンタクト４１〜４９の間は中央片２３における固定片２２との連結部位の側方から連続一体に延設されたコ字形の連結片で連結されている。ここで、少なくとも閉位置（後述する）にあるときの可動シェル３に弾接する弾接片２６が接地用のコンタクト４３に設けてある。この弾接片２６の側面視の形状は、図５に示すようにカバー１側に向かって突出する略Ｌ字形であって、カバー１に対向する先端部分が円弧形に形成されている。
【００２８】
可動シェル３は、金属の薄板に抜き加工及び曲げ加工を施すことにより、図４に示すように矩形板状の主部４１と、主部４１の奥行き方向略中央における左右両端縁より後方へ垂下された脚片４２と、脚片４２よりも奥側（図４（ａ）における上側）における主部４１の周縁より後方へ垂下された壁部４７と、側部４７の後側縁の左右両側部からそれぞれ奥側に向かって突出する固定片４３，４３と、脚片４２よりも手前側（図４（ａ）における下側）における主部４１の左右両端縁より後方へ垂下された略鈎形の腕片４４とが連続一体に形成されてなる。脚片４２はベース２に設けた軸部２ｅ及び支持部２ｆが挿通される軸受け孔４２ａを有した略Ｕ字形に形成され、軸受け孔４２ａの手前側の側縁が後方から前方へ向かって手前に２〜３度傾斜させてある（図４（ｃ）参照）。また、主部４１の左右両側の壁部４７は、手前から奥に向かって前方へ同じく２〜３度傾斜させてある（図４（ｃ）参照）。さらに、腕片４４の手前側の先端部分には左右方向の外側に向かって突出する固定用突起４４ａが設けてある。
【００２９】
またライトプロテクト用の操作摘み７は合成樹脂成型品からなり、略直方体状の操作部７ａと、操作部７ａの一側面の上部から側方に突出する断面Ｔ字形の係止片７ｂとで構成される。操作摘み７は、係止片７ｂの先端から上下に突出する爪７ｃ，７ｃをベース２の凹溝３６内に挿入した状態で摘み収納凹部３５内に配置され、操作部７ａは切欠部８ａ，８ｂ内に露出する。そして操作摘み７は、爪７ｃ，７ｃが凹溝３６内を移動することによって前後方向に移動可能となっており、爪７ｃ，７ｃの前後の側面が係止突起３７と係止することにより、切欠部８ａ，８ｂ内で手前側端又は奥側端の切換位置に保持されるようになっており、操作摘み７の位置によってライトプロテクトの状態にあるか否かが切り換えられる。
【００３０】
而して、端子片２１を貫通孔１７内に挿入するとともに接触ばね片２５を溝１６内に配置するようにして、コンタクト４１〜４９を前方からベース２に圧入することにより、各コンタクト４１〜４９の固定片２２が圧入溝１９内に圧入されるなどしてベース２に固定される。そして、ベース２の凹溝２ｄに脚片４２を位置合わせして可動シェル３を前方からベース２に押しつけるようにすれば、脚片４２が支持部２ｆの傾斜面に案内されて内側に撓み、やがて軸部２ｅを乗り越えて軸受け孔４２ａに軸部２ｅ及び支持部２ｆが挿通されて可動シェル３がベース２の軸部２ｅに軸支される。このとき、可動シェル３の腕片４４に設けられた固定用突起４４ａがベース２の両突片２ｂ，２ｃの内側面に設けられた固定用凹部２ｇ，２ｇとそれぞれ凹凸嵌合する。その後、ベース２の摘み収納凹部３５内に操作摘み７を組み込み、カバー１をベース２の前方から被せて、カバー１とベース２とを接合することで組立が完了する。なおカバー１とベース２とは、超音波溶着、熱着、接着、かしめなどの適宜の方法を用いて接合すれば良い。
【００３１】
組立完了状態においては、各コンタクト４１〜４９の端子片２１がカバー１の端子片支持台１４に当接しており、端子片２１の後端の折曲部は、端子片支持台１４の後面に設けた傾斜面に当接して、ベース２の貫通孔１７の周縁部と端子片支持台１４の傾斜面との間で挟持されている。また可動シェル３は、脚片４２の軸受け孔４２ａにおいてベース２の軸部２ｅに軸支されており、軸受け孔４２ａの手前側の側縁を後方から前方へ向かって手前に２〜３度傾斜させるとともに、主部４１の左右両側の壁部４７を手前から奥に向かって前方へ同じく２〜３度傾斜させてあることから、主部４１がベース２に対して２〜３度傾いた開位置と、主部４１がベース２と略平行となる閉位置との間でカード挿入口４０に対するミニＳＤカードＭＳＤの挿入方向に平行な面内において上記角度の分だけ回動自在となっている。なお、可動シェル３の奥側に突出する固定片４３，４３がカバー１のストッパ部２７，２７に対向する位置に配置されるから、可動シェル３が閉位置にあるときに固定片４３，４３がストッパ部２７，２７に干渉することで可動シェル３が閉位置からさらに先に回動するのを防いでいる。また可動シェル３の奥側の壁部４７にはグランド（ＳＤメモリカードの場合は３番ピンと６番ピン）の一方のコンタクト４３に設けられた弾接片２６が弾接し、ソケットに装着した際にコンタクト４３の弾接片２６を介してソケット側のグランドのコンタクトに接続されて可動シェル３が接地されるから、アダプタ本体のシールド性能を向上することができる。
【００３２】
次に、図６〜図９を参照して本実施形態のメモリカード用アダプタにミニＳＤカードＭＳＤを挿着する際の動作を説明する。可動シェル３が図５に示す閉位置にあるときにはベース２に設けた規制部１１によってカード挿入口４０の前後方向の開口寸法がミニＳＤカードＭＳＤの厚み寸法よりも小さくなっているために挿入することができないので、まず、手前側の端部を指で引っ掛けるようにして、可動シェル３を閉位置から図６に示す開位置まで回動させてカード挿入口４０を拡げる必要がある。そして、可動シェル３を開位置に保持した状態で、ミニＳＤカードＭＳＤを手前と奥及び表裏の各方向を正規な方向に向けてカード挿入口４０からカード収納室１０の内部に挿入すると（図７参照）、カード収納室１０内に並行配設される接触ばね片２５がミニＳＤカードＭＳＤの裏面に設けたＩ／Ｏ接触面５３に摺接して（図８参照）、接触ばね片２５がＩ／Ｏ接触面５３に電気的に接続される。さらにミニＳＤカードＭＳＤをカード収納室１０の内部に挿入すると、ミニＳＤカードＭＳＤの切欠部５１が支持壁３１の傾斜面３１ａに当接してミニＳＤカードＭＳＤのそれ以上の挿入が規制される。また、このときにはミニＳＤカードＭＳＤの裏面におけるＩ／Ｏ接触面５３が設けられた凹所５２の左右外側の部位をベース２の凹所２ａ底面に設けられた逃がし部２０で逃がすことにより、可動シェル３の回動範囲を拡げてミニＳＤカードＭＳＤを挿抜する際の作業性を向上させている。
【００３３】
この状態で可動シェル３を開位置から閉位置に回動させれば、図９に示すようにミニＳＤカードＭＳＤがカード収納室１０内に収まるとともに、ミニＳＤカードＭＳＤの手前側の端部がベース２に設けた規制部１１に当たってミニＳＤカードＭＳＤのカード挿入口４０からの引き抜きが規制される。また閉位置においては、可動シェル３の腕片４４に設けられた固定用突起４４ａがベース２の両突片２ｂ，２ｃの内側面に設けられた固定用凹部２ｇ，２ｇとそれぞれ凹凸嵌合して可動シェル３がハウジングに固定されるため、可動シェル３が閉位置から開位置に不用意に回動するのを防ぐことができる。ここで、可動シェル３の回動支点（軸部２ｅ）を、ベース２におけるカード挿入口４０が開口する手前側の端部とコンタクト４１〜４９を配設した奥側の端部との間に設けているため、ミニＳＤカードＭＳＤのＩ／Ｏ接触面５３がコンタクト４１〜４９から受ける接圧力が可動シェル３を開位置から閉位置に回動させる力の向きに一致するため、このことからも可動シェル３が閉位置から開位置に不用意に回動するのを防いでいる。
【００３４】
一方、メモリカード用アダプタに挿着されたミニＳＤカードＭＳＤを取り外す際には、図１０に示すように操作孔９からカード収納室１０内に指先Ｆ等を挿入してミニＳＤカードＭＳＤを前方へ押すと、固定用突起４４ａと固定用凹部２ｇ，２ｇの凹凸嵌合が解除され、可動シェル３がミニＳＤカードＭＳＤとともに閉位置から開位置に回動するから、規制部１１による規制がなくなって、ミニＳＤカードＭＳＤをカード挿入口４０を通してメモリカード用アダプタから容易に取り外すことができる。
【００３５】
上述のように本実施形態では、可動シェル３を開位置から閉位置に回動させてミニＳＤカードＭＳＤがカード収納室１０内に収まると、ミニＳＤカードＭＳＤの手前側の端部がベース２に設けた規制部１１に当たってミニＳＤカードＭＳＤのカード挿入口４０からの引き抜きが規制されるため、本アダプタをソケットに接続した状態でミニＳＤカードＭＳＤが不用意にアダプタ本体から抜き取られてしまうことがなく、ミニＳＤカードＭＳＤがアダプタ本体から不用意に抜けてミニＳＤカードＭＳＤに記憶されたデータが消失するといった不具合の発生を防ぐことができる。
【００３６】
【発明の効果】
請求項１の発明は、メモリカードを装着して、前記メモリカードよりも外形が大きい大型メモリカード用のソケットに前記メモリカードを電気的且つ機械的に接続するためのメモリカード用アダプタであって、側面に開口したカード挿入口を通してメモリカードが挿抜される箱状のアダプタ本体と、アダプタ本体の内部にそれぞれ配置され、カード挿入口を通してアダプタ本体の内部に挿入されるメモリカードの複数のＩ／Ｏ接触面に電気的に接続されるとともに、ソケットに装着した際にソケットの複数のコンタクトに電気的に接続される複数の導電部材とを備え、前記アダプタ本体を、前記導電部材を支持するとともに前記カード挿入口に連通して前面に開口する凹所が設けられた樹脂製のハウジングと、前記凹所の前面開口の少なくとも一部を閉じる閉位置と前面開口を開く開位置との間でハウジングに対して回動自在に設けられる可動シェルとで構成し、該可動シェルが閉位置にあるときにメモリカードと干渉してメモリカードのカード挿入口からの引き抜きを規制する規制部を前記ハウジングに設けたことを特徴とし、可動シェルを開位置まで回動してカード挿入口を通してメモリカードをアダプタ本体に挿入した後に可動シェルを閉位置まで回動すれば、ハウジングに設けた規制部によってメモリカードのカード挿入口からの引き抜きが規制されるため、本アダプタをソケットに接続した状態でメモリカードが不用意にアダプタ本体から抜き取られてしまうことがなく、メモリカードがアダプタ本体から不用意に抜けてメモリカードに記憶されたデータが消失するといった不具合の発生を防ぐことができる。
【００３７】
請求項２の発明は、請求項１の発明において、前記ハウジングを、前面に前記凹所が設けられ、メモリカードのＩ／Ｏ接触面に対向する前面端部に前記導電部材を配設してなる樹脂製のベースと、メモリカードのＩ／Ｏ接触面の裏面を覆うようにベース前面に被着される樹脂製のカバーとを結合して構成し、前記ベースのカード挿入口に突出するリブで前記規制部を形成し、前記可動シェルをカード挿入口に対するメモリカードの挿入方向に平行な面内で回動自在とする回動支点を、前記ベースにおけるカード挿入口が開口する端部と導電部材を配設した端部との間に設けたことを特徴とし、メモリカードのＩ／Ｏ接触面が導電部材から受ける接圧力が可動シェルを開位置から閉位置に回動させる力の向きに一致するため、可動シェルが閉位置から開位置に不用意に回動するのを防ぐことができる。
【００３８】
請求項３の発明は、請求項１又は２の発明において、前記凹所の可動シェルと対向する内底面に、可動シェルを開位置に回動したときにメモリカードとの干渉を逃げる逃がし部を設けたことを特徴とし、可動シェルの回動範囲を拡げてメモリカードを挿抜する際の作業性が向上する。
【００３９】
請求項４の発明は、請求項１又は２又は３の発明において、互いに凹凸嵌合して前記可動シェルを閉位置に固定する固定用突起及び固定用凹部を可動シェル並びにハウジングに設けたことを特徴とし、閉位置においては固定用突起と固定用凹部が凹凸嵌合して可動シェルがハウジングに固定されるため、可動シェルが閉位置から開位置に不用意に回動するのを防ぐことができる。
【００４０】
請求項５の発明は、請求項１〜４の何れかに記載の発明において、前記閉位置にある可動シェルと干渉するストッパ部を前記ハウジングに設けたことを特徴とし、可動シェルが閉位置からさらに先に回動するのを防ぐことができる。
【００４１】
請求項６の発明は、請求項１〜５の何れかの発明において、前記複数の導電部材のうちで接地用の前記コンタクトに接続される導電部材に、少なくとも閉位置にあるときの可動シェルに弾接する弾接片を設けたことを特徴とし、可動シェルを金属板のような導電性部材で形成した場合に弾接片を通じて接地用の導電部材と導通させることができる。
【００４２】
請求項７の発明は、請求項１〜６の何れかの発明において、前記ハウジングに設けた軸部を前記可動シェルに設けた軸受け孔部に挿通して軸支するとともに、該軸部の根本部分で軸部を支える支持部をハウジングに設けたことを特徴とし、支持部で支えることによって軸部の変形や破損を防ぐことができる。
【００４３】
請求項８の発明は、請求項１〜７の何れかの発明において、前記ハウジングの後面におけるメモリカードを挟んで可動シェルの自由端側と反対側の部位にメモリカードに臨む操作孔を設けたことを特徴とし、操作孔を通して指先等によりメモリカードに押圧力を加えることで可動シェルを閉位置から開位置に向けて回動させることができてアダプタ本体からメモリカードを抜き取る際の作業性が向上する。
【図面の簡単な説明】
【図１】本実施形態の分解斜視図である。
【図２】同上の外観斜視図である。
【図３】（ａ）は同上のベースにコンタクトを組み込んだ状態の平面図、（ｂ）は同図（ａ）のＡ−Ａ線断面矢視図、（ｃ）は同図（ａ）のＣ−Ｃ線断面矢視図、（ｄ）は同図（ｂ）の要部断面図である。
【図４】同上における可動シェルを示し、（ａ）は正面図、（ｂ）は下側面図、（ｃ）は右側面図である。
【図５】同上の断面図である。
【図６】ミニＳＤカードを挿入し始めた状態を示す同上の断面図である。
【図７】ミニＳＤカードを奥に挿入した状態を示す同上の断面図である。
【図８】ミニＳＤカードをさらに奥に挿入した状態を示す同上の断面図である。
【図９】ミニＳＤカードを挿着した状態を示す同上の断面図である。
【図１０】操作孔から挿入した指先でミニＳＤカードを押して可動シェルを閉位置から開位置に回動させた状態を示す断面図である。
【図１１】ＳＤメモリカードの外観斜視図である。
【図１２】本実施形態に装着されるミニＳＤカードを示し、（ａ）は正面図、（ｂ）は右側から見た側面図、（ｃ）は下面図である。
【図１３】同上のミニＳＤカードを示し、（ａ）は背面図、（ｂ）は上面図である。
【符号の説明】
１  カバー
２  ベース
３  可動シェル
４１〜４９  コンタクト
１１  規制部
４０  カード挿入口４０
【図１】
2004280718.tif 000003
【図２】
2004280718.tif 000004
【図３】
2004280718.tif 000005
【図４】
2004280718.tif 000006
【図５】
2004280718.tif 000007
【図６】
2004280718.tif 000008
【図７】
2004280718.tif 000009
【図８】
2004280718.tif 000010
【図９】
2004280718.tif 000011
【図１０】
2004280718.tif 000012
【図１１】
2004280718.tif 000013
【図１２】
2004280718.tif 000014
【図１３】
2004280718.tif 000015